(57)【要約】【課題】長手方向両端部の接続構造等に簡略化しつつ蹴込み用凹部を簡単に形成できて、コスト安価でデザイン面でも優れた浴槽エプロンを提供する。【解決手段】浴室内の浴槽の洗い場側の側面に配置される浴槽エプロンであって、平面視直線状の上部垂直面と、該上部垂直面の長手方向両端部に設けられた端部垂直面と、前記上部垂直面の下部で端部垂直面の下部間に設けられて浴槽側に窪むと共にその長手方向の両側面及び上面が閉塞された平面視直線状の蹴込み用凹部と、を備えることを特徴とする。前記蹴込み用凹部は、上面が傾斜面で形成され両側面が平面視円弧状面で形成される。【選択図】  図１
2008167836.tif 000002
【特許請求の範囲】
【請求項１】
浴室内の浴槽の洗い場側の側面に配置される浴槽エプロンであって、平面視直線状の上部垂直面と、該上部垂直面の長手方向両端部に設けられた端部垂直面と、前記上部垂直面の下部で端部垂直面の下部間に設けられて浴槽側に窪むと共にその長手方向の両側面及び上面が閉塞された平面視直線状の蹴込み用凹部と、を備えることを特徴とする浴槽エプロン。
【請求項２】
前記蹴込み用凹部は、前記上面が傾斜面で形成され、前記両側面が平面視円弧状面で形成されていることを特徴とする請求項１に記載の浴槽エプロン。
【発明の詳細な説明】
【技術分野】
【０００１】
本発明は、浴室内の浴槽の洗い場側の側面に配置される浴槽エプロンに係わり、特に蹴込み用凹部を備えた浴槽エプロンに関する。
【背景技術】
【０００２】
一般的に、システムバスルーム等の浴室内に設置される浴槽においては、浴室の洗い場側の側面に浴槽エプロンが配置されている。従来、この浴槽エプロンとしては、例えば特許文献１に示すように、浴槽側に屈曲された折曲片と垂下片及び蹴込み片からなる蹴込み用凹部を下部に設けたものが提案されている。
【特許文献１】特開平１１−３３２７６７号公報
【発明の開示】
【発明が解決しようとする課題】
【０００３】
しかしながら、このような浴槽エプロンにおいては、蹴込み用凹部が浴槽の背足方向の全域に亘って設けられて両端部が開放されているため、例えば洗い場に設けられるカウンタや浴室の反カウンタ側の壁パネルとの止水性の確保等が面倒になる等、蹴込み用凹部の長手方向両端部における接続（接合）構造が複雑化してコストアップを招き易く、また、浴槽と洗い場の接合部分におけるデザイン性の面でも好ましくない。
【０００４】
本発明は、このような事情に鑑みてなされたもので、その目的は、長手方向両端部の接続構造等を簡略化しつつ蹴込み用凹部を簡単に形成できて、コスト安価でデザイン面でも優れた浴槽エプロンを提供することにある。
【課題を解決するための手段】
【０００５】
かかる目的を達成すべく、本発明のうち請求項１に記載の発明は、浴室内の浴槽の洗い場側の側面に配置される浴槽エプロンであって、平面視直線状の上部垂直面と、該上部垂直面の長手方向両端部に設けられた端部垂直面と、前記上部垂直面の下部で端部垂直面の下部間に設けられて浴槽側に窪むと共にその長手方向の両側面及び上面が閉塞された平面視直線状の蹴込み用凹部と、を備えることを特徴とする。
【０００６】
また、請求項２に記載の発明は、前記蹴込み用凹部の前記上面が傾斜面で形成され前記両側面が平面視円弧状面で形成されていることを特徴とする。
【発明の効果】
【０００７】
本発明のうち請求項１に記載の発明によれば、浴槽エプロンに、上部垂直面と端部垂直面及び上部垂直面の下部で端部垂直面の下部間に形成されると共にその両側面と上面が閉塞された蹴込み用凹部が設けられているため、長手方向両端部の接続構造等を簡略化しつつ浴槽エプロンの下部に蹴込み用凹部を簡単に形成できて、浴槽エプロン自体をコスト安価に形成し得ると共に、カウンタ等との接続部にすっきり感が得られる等、両端接続部分のデザイン性を向上させることができる。
【０００８】
また、請求項２に記載の発明によれば、請求項１に記載の発明の効果に加え、蹴込み用凹部の上面が傾斜面で形成され両側面が平面視円弧状面で形成されているため、蹴込み用凹部の清掃を容易に行うことができると共に、蹴込み用凹部両端部のデザイン性を一層向上させることができる。
【発明を実施するための最良の形態】
【０００９】
以下、本発明の実施の形態を図面に基づいて詳細に説明する。
図１〜図７は、本発明に係わる浴槽エプロンの一実施形態を示し、図１が該エプロンを使用した浴室の内部斜視図、図２がその概略平面図、図３が概略正面図、図４〜図６が浴槽エプロンの平面図、底面図、側面図、図７が使用状態の説明図である。
【００１０】
図１〜図３に示すように、浴室１内には浴槽２が設置され、この浴槽２の一側にはカウンタ４が設置された洗い場３が設けられている。そして、浴槽２の洗い場３側の側面には、浴槽エプロン５が例えば着脱可能に配置されている。この浴槽エプロン５は、図１及び図４〜図６に示すように、樹脂成形により、所定の厚さを有してその上端が平面視で直線状の略平板状に形成され、上部に設けられた上部垂直面５ａと、この上部垂直面５ａの長手方向（浴槽エプロン５の長手方向）の両端部に所定幅で上下方向に設けられた端部垂直面５ｂ、５ｃを有している。
【００１１】
また、浴槽エプロン５の上部垂直面５ａの下部で端部垂直面５ｂ、５ｃの下部間には、浴槽２側に窪んだ蹴込み用凹部６が設けられている。この蹴込み用凹部６は、上面としての所定長さの平面視直線状の傾斜面６ａと、この傾斜面６ａの長手方向端部に設けられた側面としての円弧状面６ｂ、６ｃとで形成され、前記傾斜面６ａは下端が浴槽２側に傾斜する平坦な面で形成され、また、前記円弧状面６ｂ、６ｃは平面視で凹状の曲面で形成されている。これにより、蹴込み用凹部６は、その傾斜面６ａ及び円弧状面６ｂ、６ｃにより上面及び左右側面の３面が閉塞状態とされて、浴槽エプロン５の上部垂直面５ａの下部と端部垂直面５ｂ、５ｃの下部間に一体形成されている。
【００１２】
また、浴槽エプロン５の前記上部垂直面５ａの上端部には、浴槽２の上端フランジ２ａ（図１〜図３参照）に係合可能な係合部８（図６参照）が設けられると共に、前記端部垂直面５ｂ、５ｃと両円弧状面６ｂ、６ｃ等で形成される裏面空間部内には、洗い場側の防水パンの端部やカウンタ４等に係合される所定形状の係合部８（図４及び図５参照）が設けられている。この時、浴槽エプロン５の円弧状面６ｂ、６ｃの形状や係合部８の形状が対称形状に形成されることにより、浴槽２の浴室１内への各種設置形態に容易に対応できるように構成されている。
【００１３】
なお、浴槽エプロン５の上部垂直面５ａの裏面には、所定間隔で例えば縦方向のリブ９（図４参照）が一体形成されてその剛性アップが図られている。また、浴槽エプロン５の長さは、洗い場３の幅（カウンタ４側の端部と反カウンタ４側の端部間の寸法）と略同一に設定されると共に、その蹴込み用凹部６の長さは、洗い場３の幅よりも僅かに短い寸法に設定されている。さらに、浴槽エプロン５の端部垂直面５ｂ、５ｃの幅は、５０〜２００ｍｍ程度に設定されると共に、蹴込み用凹部６の開口上縁部の洗い場３からの高さは、入浴者の足先が収容可能な２００ｍｍ程度に設定されている。
【００１４】
このように構成された浴槽エプロン５は、その長手方向の両端部に設けた前記係合部８をカウンタ４の浴槽側端部に設けた係合部（図示せず）に係合させると共に、洗い場側防水パンの浴槽側端部に設けた係合部（図示せず）に係合させ、かつ、上端部に設けた係合部８を浴槽２の上端フランジ２ａに設けた係合部（図示せず）に係合させる。これにより、浴槽エプロン５が浴槽２の上端フランジ２ａの洗い場側下部に取り付けられ、この浴槽エプロン５の浴槽２への取り付けにより、浴槽２の洗い場側の側面が閉塞される。この状態において、浴槽エプロン５の長手方向の一方の端部は、カウンタ４の端部に接続（接合）状態とされ、他方の端部は浴室１の反カウンタ側の壁パネル１０（図２参照）に接合状態とされる。
【００１５】
そして、この浴槽エプロン５の配置状態において、例えば入浴者が洗い場３から浴槽２内に入ろうとする場合、図７に示すように、入浴者Ｍはその足先を蹴込み凹部６内に位置させつつ、浴槽２の洗い場側の側壁を跨いで入ることができる。この時、蹴込み用凹部６の長さが洗い場３の幅よりも僅かに短い寸法に設定されていることから、洗い場３の略全ての位置から入浴者Ｍが蹴込み用凹部６を利用しつつ浴槽２の側壁を跨いで浴槽２内に入ることが可能となる。
【００１６】
このように、上記実施形態の浴槽エプロン５にあっては、平面視直線状の上部垂直面５ａと、上部垂直面５ａの長手方向両端部の端部垂直面５ｂ、５ｃと、これら各垂直面５ａ〜５ｃ間に浴槽２側に窪む状態で設けられた蹴込み用凹部６とを有するため、蹴込み用凹部６を利用して、入浴者Ｍが浴槽２の洗い場側の側壁を跨いで浴槽２内に入ることができる。その際、蹴込み用凹部６が平坦な傾斜面６ａと円弧状面６ｂ、６ｃにより形成されていることから、入浴者Ｍの足先を蹴込み用凹部６内にスムーズに収容しつつ、浴槽２の側壁を簡単に跨ぐことができる。
【００１７】
また、浴槽エプロン５の下部に蹴込み用凹部６が一体成形により形成されると共に、その両端部に一般的な着脱可能な平板状の浴槽エプロンと同様に接合できる端部垂直面５ｂ、５ｃが形成されているため、例えば従来例に示すような蹴込み用凹部の長手方向両端部の止水構造が不要になる等、浴槽エプロン５の設置に係わるコストを低減させて、安価な設置構造を得ることができる。また、浴槽エプロン５が浴槽２に着脱可能に配置されているため、従来の平板状の着脱可能な浴槽エプロンと同様の扱いが可能になると共に、左右対称形状の浴槽エプロン５によりカウンタ４が浴槽２のどちらの端部に位置する場合であっても対応できる等、汎用性と使い勝手に優れた浴槽エプロン５を得ることができる。
【００１８】
さらに、浴槽エプロン５の下部に形成される蹴込み用凹部６が、平面視直線状の傾斜面６ａとこの傾斜面６ａの長手方向両端部の円弧状面６ｂ、６ｃで形成されているため、蹴込み用凹部６の３面を閉塞状態として、傾斜面６ａや左右の円弧状面６ｂ、６ｃ等（すなわち蹴込み用凹部６）の清掃を容易に行うことができる。また、蹴込み用凹部６の両端部に上部垂直面５ａと面一の端部垂直面５ａ、５ｂがそれぞれ形成され、これらの垂直面５ａ〜５ｃ間に蹴込み用凹部６が３面閉塞状態で形成されているため、浴槽２の上端フランジ２ａの形状に対応した直線状の蹴込み用凹部６により、浴槽エプロン５自体のデザイン性を向上させることができると共に、端部垂直面５ｂ、５ｃによりカウンタ４や壁パネル１０との接続部にすっきり感が得られる等、浴槽エプロン５廻りのデザイン性を向上させることが可能となる。
【００１９】
またさらに、例えば図１の二点鎖線で示すように、洗い場３の浴槽エプロン５側に排水口１１が設けられる場合に、排水口１１の位置を浴槽２側に近づけて配置することができて、その上部の空間を利用して排水蓋の開閉作業を容易に行いつつ、排水口１１を目立たなくすることができ、洗い場３自体のデザイン性を向上させることもできる。また、浴槽エプロン５に蹴込み用凹部６を設けることで、その厚さを従来より厚くすることができると共に、上部垂直面５ａ裏面に形成したリブ９で反り等を防止できるため、浴槽エプロン５自体の剛性を高めて、浴槽２の上端フランジ２ａやカウンタ４との接合構造を長期に亘り安定化させること等が可能となる。
【００２０】
なお、上記実施形態においては、蹴込み用凹部６の円弧状面６ｂ、６ｃを凹状の円弧状面としたが、例えば凸状の円弧状面で形成することもできるし、傾斜面６ａも平坦に限らず、円弧状面とすることもできる。また、上記実施形態における蹴込み用凹部６の全体形状、各垂直面５ａ〜５ｃの大きさ等も一例であって、例えば端部垂直面５ｂ、５ｃの幅を洗い場３の大きさに応じて増減させたり、浴槽２の洗い場側の内面にステップを設ける等、本発明の各発明に係わる要旨を逸脱しない範囲において、適宜に変更することができる。
【産業上の利用可能性】
【００２１】
本発明は、システムバスルーム等の浴室に設置される浴槽のエプロンへの利用に限らず、例えば単独で設置される浴槽や各種施設の浴槽等の他の全ての浴槽のエプロンとしても利用できる。
【図面の簡単な説明】
【００２２】
【図１】本発明に係わる浴槽エプロンを使用した浴室の一実施形態を示す内部斜視図
【図２】同その概略平面図
【図３】同概略正面図
【図４】同浴槽エプロンの平面図
【図５】同その底面図
【図６】同その側面図
【図７】同使用状態の説明図
【符号の説明】
【００２３】
１・・・浴室、２・・・浴槽、２ａ・・・上端フランジ、３・・・洗い場、４・・・カウンタ、５・・・浴槽エプロン、５ａ・・・上部垂直面、５ｂ、５ｃ・・・端部垂直面、６・・・蹴込み用凹部、６ａ・・・傾斜面、６ｂ、６ｃ・・・円弧状面、８・・・係合部、９・・・リブ、１０・・・壁パネル、１１・・・排水口、Ｍ・・・入浴者。
【図１】
2008167836.tif 000003
【図２】
2008167836.tif 000004
【図３】
2008167836.tif 000005
【図４】
2008167836.tif 000006
【図５】
2008167836.tif 000007
【図６】
2008167836.tif 000008
【図７】
2008167836.tif 000009